(57)【要約】  本発明は、水素を消費する少なくとも２つの反応器ユニットＲ１およびＲ２から生じる水素に基づくガス流出物を変換するための方法に関する。前記流出物は異なる程度の水素純度を有する。異なる水素流出物は前記の異なる水素流出物のためのガス分離ユニットＵで処理する。その場合、非常に純粋な水素が得られ、追加の反応ユニット器Ｒ３に供給するために用いることができる。また、ユニットＵは低度の水素純度を有する残留流れも生産し、これを石油化学設備の燃焼ガスネットワークに送ることができる。
2007516151.tif 000002
【特許請求の範囲】
【請求項１】
水素が消費される少なくとも２つの反応ユニットＲ１およびＲ２（ユニットＲ２は圧力Ｐで水素リッチなガス流出物（６）を生産し任意に水素プアなガス流出物（７）を生産し、ユニットＲ１は少なくとも１種の水素プアなガス流出物（４、５）を生産する）から生じる水素系ガス流出物の価値を回復するための方法であって、以下の工程を行う：
−工程ａ）の間に、Ｒ１および任意にＲ２から生じる全ての水素プアなガス流出物（５、４、７）を混合して、得られる混合物が圧力Ｐを示すようにし、
−工程ｂ）の間に、工程ａ）の間に圧力Ｐに調節された、Ｒ１および任意にＲ２から生じる全ての水素プアなガス流出物（５，４，７）の混合物を、ユニットＲ２から生じる水素リッチなガス流出物（６）が供給されるガス分離ユニットＵにおいて処理し、第１の出口でユニットＲ２から生じる水素リッチなガス流出物（６）の濃度より高い水素濃度を示す富化流（９）を与え、第２の出口で廃棄流（１０）を与え、
−工程ｃ）の間に、ユニットＵの第１の出口から生じる富化流（９）を、水素が消費される反応ユニットＲ３に再注入する
ことを特徴とする方法。
【請求項２】
ユニットＲ２（６）から生じる水素リッチな流出物が少なくとも５バールの圧力を示すことを特徴とする請求項１に記載の方法。
【請求項３】
ユニットＲ２（６）から生じる水素リッチな流出物が少なくとも１５バールの圧力を示すことを特徴とする請求項１または２に記載の方法。
【請求項４】
ユニットＲ２（６）から生じる水素リッチな流出物が５０ないし９９体積％の水素濃度を示すことを特徴とする請求項１ないし３のいずれか１項に記載の方法。
【請求項５】
Ｒ１および任意にＲ２から生じる水素プアなガス流出物（４、５、７）が、水素リッチな流出物の水素濃度の値に対して少なくとも１０％低い水素濃度を示すことを特徴とする請求項１ないし４のいずれか１項に記載の方法
【請求項６】
水素が消費される反応ユニットＲ３が反応ユニットＲ２であることを特徴とする請求項１ないし５のいずれか１項に記載の方法。
【請求項７】
ガス分離ユニット（Ｕ）が吸着タイプのものであることを特徴とする請求項１ないし６のいずれか１項に記載の方法。
【請求項８】
ガス分離ユニット（Ｕ）が内蔵コンプレッサーと組み合わせた圧力スイング吸着（ＰＳＡ）ユニットであり、ユニットの各々の吸着塔に対して、吸着、減圧、パージおよび再加圧の段階を規定する一連の段階を有する圧力スイングサイクルを使用し、
−吸着段階の間、
・第１工程の間に、ユニットＲ２から生じる圧力Ｐを示す水素リッチなガス流出物（６）を吸着塔の層と接触させ、
・第２工程の間に、
・一方で、工程ａ）の間に圧力Ｐに調節された、Ｒ１および任意にＲ２から生じる全ての水素プアなガス流出物（５、４、７）の混合物と、
・他方でＰＳＡからのリサイクルガスとからなる、
圧力Ｐをもつ混合物を導入して吸着塔の層と接触させ、
水素以外の化合物を吸着し、吸着塔の層の水頭で、ユニットＲ２から生じる水素リッチなガス流出物（６）の濃度より高い水素濃度を示す富化流を生産し、
−減圧段階の間に、ＰＳＡから生じる廃棄流（１０）を生産し、
−パージ段階の間に、パージガスを生産し、
−ＰＳＡからのリサイクルガスが、圧力Ｐに圧縮した廃棄流（１０）であるか、または圧力Ｐに圧縮したパージガスかのいずれかであることを特徴とする請求項１ないし７のいずれか１項に記載の方法。
【請求項９】
ユニットＲ１がシクロヘキサンの合成のためのベンゼンの水素化のためのユニットであり、ユニットＲ２がε−カプロラクタムの合成のためのフェノールの水素化のためのユニットであり、Ｒ３がヒドロキシルアミンの合成のためのユニットであることを特徴とする請求項１ないし５および７または８のいずれか１項に記載の方法。
【請求項１０】
２つの反応ユニットＲ１を備え、一方はベンゼンのトルエンの水素化脱アルキル化のためにユニットであり、他方はシクロヘキサンの生産のためのユニットであり、ユニットＲ２はキシレンまたはトルエンの水素不均化反応のためのユニットであることを特徴とする請求項６および７または８のいずれか１項に記載の方法。
【発明の詳細な説明】
【発明の開示】
【０００１】
本発明は、水素を用いる化学反応器ユニットから生じる水素系流出物の価値を回復するための方法に関する。
【０００２】
多数の石油化学プロセスは、水素リッチなガスを用いる水素化工程を採用する。これは、石油炭化水素から直接生じる高い化学活性の生成物を組み合わせる基礎（building-block）化学製品の合成の場合である。かなり水素リッチなガスを含む主要な基礎化学製品は以下のとおりである。
【０００３】
−アンモニア、メタノール、
−芳香族炭化水素：ベンゼン、トルエン、キシレン、
−シクロヘキサン、アニリン、トルエンジアミン（ＴＤＡ）、
−アジピン酸、ヘキサメチレンジアミン（ＨＭＤＡ）、カプロラクタム、
−オキソアルコール、ブタンジオール（ＢＤＯ）、過酸化水素、
−塩素、スチレン、直鎖アルキルベンゼン（ＬＡＢ）、メチルエチルケトン（ＭＥＫ）。
【０００４】
これらの基礎化学薬品の合成のための方法は、共通して少なくとも３つの特徴を有する。まず、これらは全て、基礎化学薬品の合成の間に水素化工程を用いる。次に、これらのプロセスは全て、水素がリッチなガス（５０から９５重量％）のリサイクルを利用する。最後に、これらのプロセスは、水素リッチなガスをリサイクルするためのループからの部分的な取り出しを実施して、このループにおける不活性物質の蓄積を制限する。化学的に消費されるか、機械的損失、溶解または取り出しによって失われる水素は、水素リッチな補給ガス（その組成は、その製造方法に従って変化する）によって補われる。操作条件と処理される化合物は方法に従って変化するけれども、一般的に以下のことがいわれている。
【０００５】
−水素の全消費量は、水素化すべき生成物の重量と比較して高い。
【０００６】
−水素／炭化水素比は、反応に理論的に必要な水素の量よりはるかに大きい。
【０００７】
−補給水素は、取り出しによる水素の損失を制限するために、高純度のものでなくてはならない。
【０００８】
したがって、これらのさまざまなプロセスの間に、高純度の補給水素だけでなく、リサイクルループから取り出すことによっていまだ水素がリッチなガスの除去を行うことも必要である。多くの工業的な事例において、石油化学ユニットの性能、特に得られる製品のグレードは供給水素の純度により限定される。さらに、リサイクルガスに実施される取り出し操作の影響のもとでは、補給ガスの純度の低下とともに水素の消費が増加する。これは、そのユニットについて追加の操作コストをもたらす。
【０００９】
これらの問題を回避するために、反応領域における水素分圧を増加させるという提案がなされてきた。第１の解決策は、リサイクルガスのフラクションを完全に取り出し、その中の不活性物質（軽質炭化水素、痕跡量の反応物または水素化生成物など）の濃度を限定することからなる。しかし、この高圧取り出し操作には、多数の欠点がある。
【００１０】
−水素分圧への影響が一般的にかなり低い。
【００１１】
−リサイクルガスは水素リッチなので、取り出し操作の結果の１つは、燃料ガスシステムへ向かう水素の損失である。そして、燃料ガスとしてわずかな程度に、この水素の価値を回復する。
【００１２】
−この損失により、多量の補給ガスを導入しなければならない。
【００１３】
第２の解決策は、ＰＳＡタイプの吸着技術によりリサイクルループからのガスを精製することからなる。この方法は、処理される唯一のガスが中位の純度（７０から９０体積％のＨ2）のものであり、９９体積％を超える純度で得られる収率が並であるときに、石油化学においてある程度まで用いられるだけである。その結果、もたらされる水素の損失は、吸着をそれほど魅力的にするわけでない。
【００１４】
第３の解決策、たとえば米国特許ＵＳ６１７９９９６に開示されるものは、水素リッチな流出物を逆選択性膜により処理することからなる。水素選択性膜と比較して、このタイプの膜の利点は、水素を加圧下に維持することである。他方、望ましい水素純度と収率との間に妥協点を見つけなくてはならない。したがって、シクロヘキサンを与えるベンゼンの水素化から生じるガス流出物を処理して、処理される水素のほぼ３０％を失う条件で、７５体積％の水素純度を９０体積％まで変化させることができる。同様に、アニリンを与えるニトロベンゼンの水素化の場合には、８３体積％の水素純度から９５％の水素純度までの変化が、処理される水素のほぼ４０％の損失をもたらす。
【００１５】
各々の石油化学プロセスによって必要とされる補給ガスの水素の純度は一般的に９９体積％を超える。事実として、プロセス（接触改質、水蒸気分解など）の近くに利用できる水素源が常に存在するわけではなく、水素は必要とする純度で専用の生産業者によって供給されなければならない。水素源が近くで利用できれば、生産される水素を精製して、補給ガスの仕様に合わせる。ここで、補給ガスを精製するための技術は、リサイクルガスのための上述した技術と同様である。水素リッチなガスを精製するための２つの主要な経路は、吸着（ＰＳＡ）または低温分離とこれに続くメタン化工程のままである。というのは、化合物ＣＯおよびＣＯ2は、石油化学で用いられる水素化触媒のほとんどにとって毒であるからである。
【００１６】
本発明の１つの目的は、上記問題を解決すること、より具体的には水素化工程を用いる石油化学プロセスの全水素消費を減少させることにある。
【００１７】
もう１つの目的は、主補給ガスを精製することによって、および／または取り出し操作で失われる水素分子を回復することによって、水素化工程を用いるある種の石油化学プロセスの処理能力の障害を取り除くかまたは能力を増加させることにある。
【００１８】
本発明の特徴および利点は、以下の記載を読むことで明らかになるであろう。本発明の実施形態は、添付の図面によって例示される非限定的な例として示される。
【００１９】
これらの目的に対して、本発明は、水素が消費される少なくとも２つの反応ユニットＲ１およびＲ２（ユニットＲ２は圧力Ｐで水素リッチなガス流出物を生産し任意に水素プアなガス流出物を生産し、ユニットＲ１は少なくとも１種の水素プアなガス流出物を生産する）から生じる水素系ガス流出物の価値を回復するための方法であって、以下の工程を行う：
−工程ａ）の間に、Ｒ１および任意にＲ２から生じる全ての水素プアなガス流出物を混合して、得られる混合物が圧力Ｐを示すようにし、
−工程ｂ）の間に、工程ａ）の間に圧力Ｐに調節された、Ｒ１および任意にＲ２から生じる全ての水素プアなガス流出物の混合物を、ユニットＲ２から生じる水素リッチなガス流出物が供給されるガス分離ユニットＵにおいて処理し、第１の出口でユニットＲ２から生じる水素リッチなガス流出物の濃度より高い水素濃度を示す富化流を与え、第２の出口で廃棄流を与え、
−工程ｃ）の間に、ユニットＵの第１の出口から生じる富化流を、水素が消費される反応ユニットＲ３に再注入する。
【００２０】
本発明は、石油化学サイトのユニットのような水素が用いられるいくつかの反応ユニットからなる水素ガスシステムの間のガス分離ユニットＵの装置からなる。ガス分離ユニットＵは、ユニットＲ１およびＲ２からの異なる水素純度をもつ水素含有ガスを処理し、高純度水素を反応ユニットＲ３に供給するか、または収量の損失なしにこの反応ユニットＲ３からのリサイクル水素を精製する。本発明は、水素が消費されるいくつかの反応ユニット、特に少なくとも２つの反応ユニットＲ１およびＲ２からの水素含有流出物の使用によって、設定された目的を達成することを可能にする。「反応ユニット」と言う用語は、反応が行われる生産サイトを意味するものと理解される。反応ユニットは、同様に、生産操作からのさまざまな流出物が収集されるタンクの組み合わせとしての反応器でもよい。これらのユニットは流出物がある種の特性を示すように選択しなければならず、本発明の方法によれば、流出物の各々の一部のみを処理することが可能であることが理解される。２つのユニットＲ１およびＲ２は、各々、異なる濃度で水素を含む少なくとも１種の流出物を生産しなければならない。ユニットＲ２は、ユニットＲ１およびＲ２から生じる全ての他の水素含有流出物より高い水素濃度を示す水素含有流出物を生産する。したがって、「水素リッチな流出物」と言う用語は、最も高い水素純度を示す反応ユニットから生じる流出物を表す。一般的に、この水素リッチな流出物は、５０ないし９９体積％の水素濃度を示す。ユニットＲ２から生じるこの水素リッチな流出物は、少なくとも５バール、好ましくは少なくとも１５バールの圧力Ｐを示しうる。ユニットＲ１およびＲ２から生じる他のガス流出物は「水素プア」であり、これは各々について水素濃度の値が水素リッチな流出物の水素濃度の値より少なくとも１０％だけ、好ましくは少なくとも１５％だけ、より好ましくは１５から５０％だけ低いことを意味する。本発明によれば、Ｒ２は少なくとも１種の水素プアなガス流出物を生産する。好ましくは、この水素プアなガス流出物は、圧力Ｐに近い圧力を示す。本発明の方法によれば、Ｒ１またはＲ２のいずれかによって、他の追加の水素プアなガス流出物が生産されることもある。本発明によれば、水素プアな流出物または水素プアな流出物の混合物の圧力は、Ｐに近づくように調節される。Ｒ１のみが水素プアな流出物を生産する場合、圧力は圧縮または水頭損失によって調節することができる。Ｒ１および／またはＲ２がいくつかの水素プアな流出物を生産する場合、これらを全て混合して、混合物がＰに等しい圧力を示すようにする。このような圧力を得るためには、圧力Ｐ未満の圧力をもつ水素プアな流出物の一部を圧縮することが必要であろう。しかし、水素プアな流出物の少なくとも１つがＰより大きな圧力を示す場合、この圧縮は任意でもよい。加えて、水素プアな流出物の１つの圧力がＰより大きい場合、例えば水頭手段の損失によって、圧力を減少させることができる。本発明は、Ｒ２から生じる水素プアな流出物またはＲ１および任意にＲ２から生じる水素プアな流出物の混合物がすでにＰに近い圧力を示す方法も包含する。これらの場合には、圧力の調節は必要ない。これらさまざまな流出物の処理によって、本発明はＲ２から生じる水素リッチな流出物を富化して、これを水素が消費される反応ユニット中で使用することが可能にすることができる。この富化は、水素プアな流出物を減少させることにより得られる。したがって、ユニットは９９体積％を超える水素純度を一般的に示す富化流を生産し、ユニットは燃料ガスシステムに運搬できる低水素純度かつ低圧の廃棄流をも生産する。廃棄流の圧力と水素濃度は、それぞれ、ユニットＵに入る全ての流出物の圧力値および水素濃度値より低い。
【００２１】
本発明の具体的な別の形態によれば、水素が消費される反応ユニットＲ３は、反応ユニットＲ２でありうる。この場合、本発明は、反応ユニットＲ２から生じる水素リッチなガス流出物を回復すること、およびＲ１から生じる水素プアなガス流出物を用いてこれを水素富化することの両方を可能にし、ユニットＲ２におけるこの富化流出物をリサイクルすることを可能にする。この別の形態の間に、ユニットＲ３（またはＲ２）によって生産される水素リッチなガス流出物が、ガス分離ユニット（Ｕ）に供給する前に圧縮される必要があるだろう。
【００２２】
本発明によれば、ガス分離ユニット（Ｕ）は好ましくは吸着タイプのものである。好ましくは、ガス分離ユニット（Ｕ）が内蔵コンプレッサーと組み合わせた圧力スイング吸着（ＰＳＡ）ユニットであり、ユニットの各々の吸着塔に対して、吸着、減圧、パージおよび再加圧の段階を規定する一連の段階を有する圧力スイングサイクルを使用し、
−吸着段階の間、
・第１工程の間に、ユニットＲ２から生じる圧力Ｐを示す水素リッチなガス流出物を吸着塔の層と接触させ、
・第２工程の間に、
・一方で、工程ａ）の間に圧力Ｐに調節された、Ｒ１および任意にＲ２から生じる全ての水素プアなガス流出物の混合物と、
・他方でＰＳＡからのリサイクルガスとからなる、
圧力Ｐをもつ混合物を導入して吸着塔の層と接触させ、
水素以外の化合物を吸着し、吸着塔の層の水頭で、ユニットＲ２から生じる水素リッチなガス流出物の濃度より高い水素濃度を示す富化流を生産し、
−減圧段階の間に、ＰＳＡから生じる廃棄流を生産し、
−パージ段階の間に、パージガスを生産し、
−ＰＳＡからのリサイクルガスが、圧力Ｐに圧縮した廃棄流であるか、または圧力Ｐに圧縮したパージガスかのいずれかである。このＰＳＡプロセスによれば、第１の吸着段階において、Ｒ２から生じる水素リッチなガス流出物をＰＳＡの第１の吸着層と接触させ、第２の段階において、それはユニットＲ１とＲ２から生じる他の水素プアな流出物とＰＳＡから生じるリサイクルガスとの混合物であり、これを第１の吸着アセンブリと接触させる。リサイクルガスは単独のまたは混合物としての２種のガスからなっていてもよい。ＰＳＡから生じる廃棄ガスは圧縮されており、ＰＳＡから生じるパージガスは圧縮されている。好ましくは、これはパージガスであり、廃棄ガスではない。廃棄ガスは、ＰＳＡの減圧段階の最終段階から生じ、ＣＰＳＡ処理デバイスのＰＳＡに組み込まれたコンプレッサーによって部分的に圧縮されるが、パージガスはＰＳＡのパージ段階から生じ、リサイクルガスとして用いる前に、ＰＳＡに組み込まれた同じコンプレッサーによって部分的に圧縮される。これら２つのガスはともに、水素と不可避的に不純物を含む。いったん圧縮して、これらをＲ１および／またはＲ２から生じる水素プアな流出物と混合する。この混合は、Ｒ１とＲ２から生じる水素プアな流出物の圧力値に応じてさまざまな方式で行うことができる。非常に低い圧力を示す水素プアな流出物を廃棄ガスまたはパージガスと混合することができ、その後この混合物をＰＳＡ中に組み込まれたコンプレッサーによって圧力Ｐまで圧縮することができる。水素プアな流出物がＰより大きな圧力を示す場合、他の水素プアな流出物の圧縮を避けてもよい。この場合、廃棄ガスまたはパージガスのみを圧縮してリサイクルガスを形成する。圧力Ｐでこれらの混合されたガスの全てを吸着剤の層へ導入することにより、ガスを再処理することができる。吸着段階の間に、ガス流出物を「並流」方向で層の底部に導入する。この接触工程の間に、Ｈ2以外の最も吸着性の高い化合物を吸着剤に吸着させ、本質的に水素を含むガスを約１バールの水頭損失まで減圧した圧力Ｐで生産する。この工程の間に、生産される水素は一般的に、少なくとも９９ｍｏｌ％を超える、好ましくは少なくとも９９．５ｍｏｌ％を超える純度を有する。したがって、この水素をＲ３のような別の水素化反応ユニットにおいて用いることができる。
【００２３】
効率的な精製を得るために、ＰＳＡの層の吸着剤は、特に、不純物の吸着および脱着が可能でなければならない。吸着層は一般的に、いくつかの吸着剤の混合物からなり、前記混合物は、例えば、活性炭、シリカゲル、アルミナまたはモレキュラーシーブから選択される少なくとも２種の吸着剤を含む。好ましくは、シリカゲルは０．４ないし０．８ｃｍ3／ｇのポア体積と６００ｍ2／ｇを超える比表面積を示すべきである。好ましくは、アルミナは０．２ｃｍ3／ｇを超えるポア体積と２２０ｍ2／ｇを超える比表面積を示す。ゼオライトは好ましくは、４．２Å未満のポアサイズを有し、５未満のＳｉ／Ａｌモル比を有し、ＮａおよびＫを含む。活性炭は、好ましくは、８００ｍ2／ｇを超える比表面積および８ないし２０Åのマイクロポアサイズを示す。好ましい形態によれば、ＰＳＡの各々の吸着剤層は、異なる性質の少なくとも３層の吸着剤からなる。ＰＳＡの各々の吸着剤層は、底部において、活性炭および／または炭素モレキュラーシーブの層によって、任意に頂部においてモレキュラーシーブの層によって被覆された、アルミナおよび／またはシリカゲルからなる保護層を含んでいてもよい。比率は、処理すべきガス混合物の性質に従って（特にＣＨ4およびＣ3+炭化水素のパーセンテージに従って）変化する。例えば、７５ｍｏｌ％のＨ2、５ｍｏｌ％のＣ3+および２０ｍｏｌ％の軽質炭化水素（Ｃ1〜Ｃ2）を含む、ＣＯおよびＮ2の無水ガス混合物を、底部層に少なくとも１０体積％のアルミナおよび１５体積％のシリカゲルを含み、残部が活性炭で得られる層を有する吸着ユニットで処理することができる。
【００２４】
ＰＳＡの減圧段階の間に廃棄ガスを生産する。廃棄ガスは、Ｐ未満の圧力で開始された向流的な減圧によって生産することができる。この廃棄ガスは不純物を含み、Ｒ１およびＲ２から生じる全ての流出物より低い水素濃度を示す。この廃棄ガスを、プロセスから排出して、上述したようにＣＰＳＡにおけるリサイクルガスとして燃焼または再使用することができる。
【００２５】
サイクルの低圧に達したら、パージ段階を行い、吸着塔の再生を完了させる。パージ段階の間に、ガスを吸着塔に向流的に導入してパージガスを生産する。パージ段階の間に、吸着塔に向流的に導入されるガスは、減圧段階の工程の１つから生じるガス流である。パージガスは、一般的に、再圧縮後にリサイクルガスとして用いられる。
【００２６】
再圧縮段階の間に、減圧段階のさまざまな工程の間に生産されるガスのような水素を含むガス流向流方向の導入によって、吸着塔の圧力を増加させる。
【００２７】
内蔵コンプレッサー（ＣＰＳＡ）と組み合わせた圧力スイング吸着ユニットの使用は、水素を含む全ての流出物の同時処理を可能にし、各々の流れを圧力スイング吸着ユニットによって別々に処理した場合よりも良好な水素回復量を達成するという利点を示す。加えて、２つの別の流出物によるＣＰＳＡの供給のために、第３の反応ユニットのための水素の均一生産を維持することができる。これは、２つのユニットＲ１およびＲ２が、これらが作り出す流出物によって互いに補い合うことができるためである。一般的には、Ｒ１およびＲ２から生じる流出物の一部のみを処理する。
【００２８】
本発明は、同じサイトにあるさまざまなユニットＲ１、Ｒ２およびＲ３の組み合わせによって実施することができる。したがって、本発明は特に、ユニットＲ１がシクロヘキサンの合成のベンゼンの水素化のためのユニットであり、ユニットＲ２がフェノールの水素化またはε−カプロラクタムの合成のためのユニットであり、Ｒ３がヒドロキシルアミンの合成のためのユニットである（フェノールの水素化とヒドロキシルアミンの合成はカプロラクタムの合成における２段階である）場合に関する。本発明は、いくつかのＲ１ユニットと１つのＲ２ユニットで実施することができる。したがって、本発明は、１つはトルエンの水素化による脱アルキル化のためのユニットであり、他方はシクロヘキサンの生産のためのユニットである、２つの反応ユニットＲ１があり、ユニットＲ２がキシレンまたはトルエンの水素不均化（hydrodisproportionation）のためのユニットである場合に関する。
【００２９】
図１は、本発明による方法の具体的な実施を例示する。水素を用いる２つの反応ユニットＲ１およびＲ２が例示した石油化学サイトにある。これらは、一般的かつ純粋な水素源１によって水素２、３が供給される。反応に続いて、ユニットＲ１およびＲ２において以下のことを行う。
【００３０】
−Ｒ２は２種の水素含有流出物を生産する。水素リッチで圧力Ｐを示す流出物６および水素が減少しＰ未満の圧力を示す流出物７である。
【００３１】
−Ｒ１は水素を含む２種の流出物を生産する。水素が減少し圧力Ｐを示す流出物５、および水素が減少しＰ未満の圧力を示す流出物４である。
【００３２】
これら４種の水素含有流出物を分離ユニットＵによって処理する（これはＰＳＡとコンプレッサーとの組み合わせである）。水素リッチな流出物６をＰＳＡの水頭に導入し、そこに存在する不純物を除去する。ＰＳＡからのパージガス１０を流出物７および４と混合する（これらは水素が減少し、Ｐ未満の圧力を示す）。これら３種の流出物１０、４および７の混合物を、任意に、圧力Ｐに達するまでユニットＵのコンプレッサーによって圧縮し、圧縮した混合物をユニットＲ１から生じる流出物５と混合し、流出物４、５および７とパージガス１０との混合物が圧力Ｐを示し、吸着段階の工程の１つの間にＰＳＡによって処理するようにする。ＰＳＡは流れ９を生産し、これは流出物６より高い水素濃度とＰに近い圧力を示す。この流れ９を、高純度水素源１の寄与とともにまたは寄与なしで反応ユニットＲ３において用いる。ＰＳＡは、反応ユニットＲ１およびＲ２からのさまざまな水素含有流出物からの不純物を含む低圧の廃棄流８も生産する。
【００３３】
図２は、本発明による方法の別の形態の具体的な実施を例示する。水素を用いる３つの反応ユニットＲ１１、Ｒ１２およびＲ２が例示した石油化学サイトにある。Ｒ１１とＲ１２は等価である。これらは水素リッチ源によって供給され、ユニットＵに供給する水素含有流出物を生産する。Ｒ１１は一般的で純粋な水素源１によって水素２１が供給される。Ｒ１２も水素源１によって水素２２が供給される。一般的な水素源１は反応ユニットＲ２に供給することもできる。反応に続いて、ユニットＲ１１、Ｒ１２およびＲ２において以下のことを行う。
【００３４】
−Ｒ２は水素含有流出物を生産する。これは流出物６であり、これは水素リッチで初期圧力Ｐを示す。
【００３５】
−Ｒ１１は２種の水素含有流出物を生産する。水素が減少しＰを超える圧力を示す流出物５１、および水素が減少しＰ未満の圧力を示す流出物４１である。
【００３６】
−Ｒ１２は２種の水素含有流出物を生産する。水素が減少しＰを超える圧力を示す流出物５２、および水素が減少しＰ未満の圧力を示す流出物４２である。
【００３７】
これら６種の水素含有流出物を分離ユニットＵにより処理する（これはＰＳＡとコンプレッサーの組み合わせである）。流出物６をＰＳＡの水頭に導入し、そこに存在する不純物を除去する。ＰＳＡからのパージガス１０を、水素が減少した流出物４１および４２と混合する。これらの流出物１０、４１および４２の混合物を、ユニットＲ１１およびＲ１２から生じる流出物５１および５２とともに圧縮させて組み合わせた混合物が圧力Ｐを示すようにさせることによって、任意に圧力Ｐに達するまでユニットＵのコンプレッサーによって圧縮してもよい。１つの別の形態によれば、流出物５１および／または５２の少なくとも１つがＰより大きい圧力を示してもよい。この場合、流出物４１、４２、５１および５２およびパージガス１０の単純な混合により圧力Ｐの混合物が直接得られるならば、コンプレッサーの使用は不要であることがわかるであろう。圧力Ｐの流出物４１、４２、５１、および５２ならびにパージガス１０の混合物を、吸着層の間にＰＳＡによって処理する。ＰＳＡは流れ９を生産し、これは流出物６よりも高い水素濃度とＰに近い圧力を示す。この流れ９を、高純度水素源１の寄与とともにまたは寄与なしで反応ユニットＲ２にリサイクルする。ＰＳＡは、反応ユニットＲ１１、Ｒ１２およびＲ２からのさまざまな水素含有流出物からの不純物を含む低圧の廃棄流８も生産する。本発明によれば、２つのＲ１ユニットを有することは必須ではない。検討している石油化学サイトに応じて、本発明による方法において、単一のＲ１ユニットまたは２を超えるＲ１ユニットを用いてもよい。上で定義したデバイスの使用によって、反応ユニットＲ１、Ｒ２、およびＲ３がある石油化学サイトのオペレーターは、さまざまなユニットによって用いられる水素含有ガスの品質を改善し、補給水素の消費を減少させることができる。というのは、もはや取り出すこと（図２の放出１１）が必要ないからである（水素分子はこの取り出し操作から回復されていた）。本発明による方法は、オペレーターが本発明による方法の使用と同時にサイトに水素含有補給ガスを導入しつづけるならば、そのオペレーターは反応ユニットのいくつかの障害を除去することも可能にする。
【００３８】
現行の解決策と比較して、本発明には多数の利点がある。まず、水素化反応ユニットの出口で数種の水素含有ガスの価値を回復することを可能にし、一方でこれらのガスは一般的に燃料として用いられる。次に、本発明により、以下の利点とともに水素含有リサイクルガスを精製することができる。
【００３９】
−リサイクルガスの生成の間に得られる水素収率は、１００％に達し得る（この水素収率は、ユニットＵの第１の出口から生じる流れ（９）の水素流量の、水素リッチなガス流出物（６）の水素流量に対する比に相当する）。
【００４０】
−放出（１１）をなしですますことができる。
【００４１】
−ユニットは障害を除去できるか、または製品の特性を改善できる。加えて、「新鮮な」水素の寄与がかなり減少する。さらに、本発明は、高水素純度のガス混合物、中位水素純度の高圧ガス混合物および低水素純度の低圧ガス混合物を、同じ圧力スイング吸着サイクルで処理することを可能にする。最後に、本発明による方法は、複合の燃料ガスシステムの圧力で廃棄流を生産し、そうしてこの系に排出することができる。
【００４２】
例１−フェノールの水素化によるε−カプロラクタムの合成（ナイロン製造サイト）
図１で例示したスキームを、フェノールの水素化によるε−カプロラクタムの製造のための方法のさまざまな工程に適用する。ユニットＲ１はシクロヘキサンの合成のためのベンゼンの水素化のためのユニットであり、ユニットＲ２はε−カプロラクタムの合成のためのフェノールの水素化のためのユニットであり、ユニットＲ３は「ヒドロキシルアミン」の合成のためのユニットである。これらのユニットは、ナイロンの製造のための同じサイトにありうる。
【００４３】
さまざまな流出物の特性を下記の表１にまとめる。
【表１】
2007516151.tif 000003
【００４４】
導入したおよびＰＳＡとコンプレッサーを備えた精製ユニットＵから生じるさまざまな流出物の特性を下記の表２にまとめる。
【表２】
2007516151.tif 000004
【００４５】
本発明による方法は、サイトの燃料システムへ向かう水素の損失を減少させることを可能にする。本発明がなければ、３つのユニットの操作は、取り出し操作によって６２００Ｎｍ3／ｈの損失をもたらす。水素リッチな流出物６を処理するための通常のＰＳＡの装置は、この損失を約１８５０Ｎｍ3／ｈに減少することを可能にする。本発明によれば、この水素損失を６００Ｎｍ3／ｈに減少させることができる。その結果、ユニットＲ３の操作に必要な高純度補給水素（１）の消費は、１２５００から６９００Ｎｍ3／ｈに変化し、４５％だけ減少する。
【００４６】
例２−芳香族錯体の製造サイト
図２で例示したスキームを、Ｒ１１およびＲ１２という２つの反応ユニットＲ１で実施する。１つはトルエンの水素脱アルキル化のためのユニットであり、他方はシクロヘキサンの製造のためのユニットである。ユニットＲ２はキシレンまたはトルエンの水素不均化（hydrodisproportionation）のためのユニットである。これらのユニットは、例えば、ポリエステルの製造のための芳香族塩基の製造の間に同じサイトでありうる。
【００４７】
キシレンまたはトルエンの水素不均化のためのユニットＲ２は、８０体積％に近い水素純度で水素含有流出物を生産する。本発明は、この流出物を精製してユニットＲ２に向けてリサイクルすることを可能にする。
【００４８】
さまざまな流出物の特性を下記の表３にまとめる。
【表３】
2007516151.tif 000005
【００４９】
導入したおよびＰＳＡとコンプレッサーを備える精製ユニットＵから生じるさまざまな流出物の特性を下記の表４にまとめる。
【表４】
2007516151.tif 000006
【００５０】
本発明による方法は、水素不均化反応ユニットＲ２において１５から２０％だけ水素分圧を増加させることを可能にする。したがって、このユニットの障害を除去することができる（異性体化された炭化水素の処理のための能力の増加）。また、分解反応を減少させ、同じ変換率で異性体化された生成物に対する選択性を改善することもできる。
【００５１】
最後に、本発明の使用により、ガスの取り出しを全くなくすこと、および補給水素の寄与が極度に限定することができる。したがって、取り出し操作なしですますことにより１３００Ｎｍ3／ｈの節約を達成することができ、補給の減少により１５００Ｎｍ3／ｈの節約を達成することができる。
【図面の簡単な説明】
【００５２】
【図１】本発明の模式図である。
【図２】本発明の別の形態の模式図である。
【図１】
2007516151.tif 000007
【図２】
2007516151.tif 000008
【国際調査報告】
2007516151.tif 000009
2007516151.tif 000010
2007516151.tif 000011
2007516151.tif 000012
2007516151.tif 000013
2007516151.tif 000014